(57)【要約】【課題】  従来にあっては、蒸気発生装置よりの高温の蒸気が供給されるため、かなりの高温になると共に高温に強い樹脂で製作したとしても蒸気と薬剤に晒され続けるとパイプが割れてしまうといった問題があり、また、パイプの先端の吹出口は１００℃以下の蒸気に晒されるため結露が発生し、この結露が被施術者に水滴となって滴り落ちるという問題もあった。【解決手段】  蒸気発生装置からの蒸気が供給される蒸気管１と、蒸気発生装置からの加圧空気が供給され、かつ、前記蒸気管の外周を覆う外パイプ２と、前記蒸気管の先端が内部に臨み、蒸気と加圧空気が混合される金属製の混合管３と、該混合管の外周を覆うように取付けられた外カバー６とから構成し、前記混合管および外カバーに形成された蒸気吹出口から蒸気および空気が混合された蒸気を噴霧したことを特徴とする蒸気発生装置の蒸気吹出構造【選択図】        図２
2005192811.tif 000002
【特許請求の範囲】
【請求項１】
蒸気発生装置からの蒸気が供給される蒸気管と、蒸気発生装置からの加圧空気が供給され、かつ、前記蒸気管の外周を覆う外パイプと、前記蒸気管の先端が内部に臨み、蒸気と加圧空気が混合される金属製の混合管と、該混合管の外周を覆うように取付けられた外カバーとから構成し、前記混合管および外カバーに形成された蒸気吹出口から蒸気および空気が混合された蒸気を噴霧したことを特徴とする蒸気発生装置の蒸気吹出構造。
【請求項２】
前記混合管の蒸気吹出口に、筒部が混合管内に臨み、かつ、該筒部の開口端に向かってテーパ角を付けると共に該開口端の肉厚を薄くすることで、前記開口端に結露による水滴が付着しないように形成した金属製のノズルパイプを取付けたことを特徴とする請求項１記載の蒸気発生装置の蒸気吹出構造。
【請求項３】
前記混合管の蒸気吹出口に、筒部が混合管内に臨み、かつ、該筒部の開口端に向かってテーパ角を付けると共に該開口端の肉厚を薄くすることで、前記開口端に結露による水滴が付着しないように形成したノズルパイプを前記外カバーと一体的に形成したことを特徴とする請求項１記載の蒸気発生装置の蒸気吹出構造。
【請求項４】
前記外カバーに形成された前記蒸気吹出口部に、結露した水滴を吸水する吸水体を取付けたことを特徴とする請求項１乃至３の何れかに記載の蒸気発生装置の蒸気吹出構造。
【発明の詳細な説明】
【技術分野】
【０００１】
本発明は、理美容院等のエステ施術時に被施術者の顔に向けて蒸気を噴霧することで、被施術者の美顔を行なうための蒸気発生装置であって、該蒸気発生装置におけるスチームの吹出部分に改良を施した蒸気吹出構造に関する。
【背景技術】
【０００２】
従来における蒸気発生装置としては、例えば、実開昭６２−７８９３２号公報に開示された発明がある。この発明は、蒸気発生装置におけるボイラーで発生した蒸気を、蒸気発生装置に一端が接続された合成樹脂製のパイプ内に導入し、該パイプの先端に形成されたノズルから被施術者の頭部や髭に向かって吹きつけて、該被施術者の頭髪や髭を柔軟にして施術が行い易くするというものであり、かつ、蒸気の噴出時に芳香を付加して身体的なリラックスを与えるというものであった。
【特許文献１】実開昭６２−７８９３２号公報
【発明の開示】
【発明が解決しようとする課題】
【０００３】
ところで、前記した従来例は被施術者の頭部に蒸気を噴霧するというものであるが、エステ用の蒸気発生装置も同様な構造によって構成されていた。すなわち、吹出口本体（パイプ）を合成樹脂で構成し、かつ、このパイプ内に蒸気発生装置からの加圧蒸気を蒸気管等にパイプに供給したものである。
【０００４】
このような構成のパイプにあっては、蒸気発生装置よりの高温の蒸気が供給されるため、かなりの高温になると共に高温に強い樹脂で製作したとしても蒸気と薬剤に晒され続けるとパイプが割れてしまうといった問題があり、また、パイプの先端の吹出口は１００℃以下の蒸気に晒され、前記吹出口の蒸気が供給される側の端面に結露が発生し、この結露によって被施術者に対して水滴となって滴り落ちるという問題もあった。
【０００５】
本発明は前記した問題点を解決せんとするもので、その目的とするところは、蒸気発生装置よりの蒸気が流れる混合管と、該混合管と間隙を介して樹脂等の外カバーとを二重管とすることにより、外カバーが高温になることがないと共に薬剤によって外カバーが破損することがなく、また、混合管内に突出するノズルの先端開口面の面積を小さくして結露による水滴の発生を少なくすると共にノズルの蒸気吐出端側に吸水体を配置し発生した水滴を吸水体で吸水して水滴の滴りを防止した蒸気発生装置の蒸気吹出構造を提供せんとするにある。
【課題を解決するための手段】
【０００６】
本発明の蒸気発生装置の蒸気吹出構造は前記した目的を達成せんとするもので、その請求項１の手段は、蒸気発生装置からの蒸気が供給される蒸気管と、蒸気発生装置からの加圧空気が供給され、かつ、前記蒸気管の外周を覆う外パイプと、前記蒸気管の先端が内部に臨み、蒸気と加圧空気が混合される金属製の混合管と、該混合管の外周を覆うように取付けられた外カバーとから構成し、前記混合管および外カバーに形成された蒸気吹出口から蒸気および空気が混合された蒸気を噴霧したことを特徴とする。
【０００７】
請求項２の手段は、前記した請求項１における前記混合管の蒸気吹出口に、筒部が混合管内に臨み、かつ、該筒部の開口端に向かってテーパ角を付けると共に該開口端の肉厚を薄くすることで、前記開口端に結露による水滴が付着しないように形成した金属製のノズルパイプを取付けたことを特徴とする。
【０００８】
請求項３の手段は、前記した請求項１における前記混合管の蒸気吹出口に、筒部が混合管内に臨み、かつ、該筒部の開口端に向かってテーパ角を付けると共に該開口端の肉厚を薄くすることで、前記開口端に結露による水滴が付着しないように形成したノズルパイプを前記外カバーと一体的に形成したことを特徴とする。
【０００９】
請求項４の手段は、前記した請求項１乃至３の何れかにおける前記外カバーに形成された前記蒸気吹出口部に、結露した水滴を吸水する吸水体を取付けたことを特徴とする。
【発明の効果】
【００１０】
本発明は前記したように、混合管および外カバーに形成された蒸気吹出口から蒸気および空気とによる加圧蒸気を噴霧するようにしたもので、外カバーが蒸気による熱や薬品および成形時のバラツキによって割れるなどの損傷を防止することができる。
【００１１】
また、混合管の蒸気吹出口に、筒部が混合管内に臨み、かつ、該筒部の開口端に向かってテーパ角を付けると共に該開口端の肉厚を薄くした金属製のノズルパイプを取付け、あるいは、外カバーと一体的に前記したノズルパイプと同形状のノズルパイプを形成したので、結露による水滴の滴りを防止することができる。
【００１２】
さらに、外カバーに形成された前記蒸気吹出口部に吸水する吸水体を取付けたので、結露による水滴の滴りをより防止することができる等の効果を有するものである。
【発明を実施するための最良の形態】
【００１３】
本発明は蒸気発生装置からの蒸気が供給される蒸気管と、蒸気発生装置からの加圧空気が供給され、かつ、前記蒸気管の外周を覆う外パイプと、前記蒸気管の先端が内部に臨み、蒸気と加圧空気が混合される金属製の混合管と、該混合管の外周を覆うように取付けられた外カバーとから構成したものである。
【実施例１】
【００１４】
次に、本発明に係る蒸気発生装置の蒸気吹出構造の第１の実施例を図１〜図３と共に説明する。
１は基端部（図示せず）が図示しない公知の蒸気発生装置における蒸気発生タンクからパイプ等（図示せず）で接続された真鍮等の金属やポリカーボ等の合成樹脂で形成した蒸気管、２は基端部（図示せず）が同じく蒸気発生装置における送風機からの加圧空気が送られるポリカーボ等の合成樹脂で形成された外パイプにして、蒸気管１が外パイプ２内に挿入され二重管となっている。なお、蒸気管１の先端部は閉塞されており、かつ、蒸気を排出するための蒸気排出口１ａが複数個開口されている。
【００１５】
３は前記蒸気管１の先端部が内部に挿入され、かつ、前記外パイプ２が外周面に嵌合固定された真鍮等の金属製の混合管にして、先端は閉塞板４によって閉塞されている。また、混合管３の前記蒸気管１が挿入された部分の相対向した部分には孔３ａが形成されており、該孔３ａにはシリコンゴムによるパイプカラー３ｂが嵌め込まれている。そして、このパイプカラー３ｂには前記蒸気管１を貫通するステンレス製のパイプピン５が嵌め込まれている。
【００１６】
６は２つ割りに形成された耐熱性および耐薬品性に優れたポリプロピレン等の合成樹脂で形成された外カバーにして、前記した混合管３の外周を覆うように配置すると共に、先端部分に形成された外カバー６を固定するための締結部６ａを嵌合し、かつ、基端部の内周面に設けられた発泡シリコンゴム製の固定用パッキン６ｂとによって筒状に形成することで、前記混合管３の外周に固定される。
【００１７】
前記外カバー６の先端部の外周には蒸気吹出口６ｃが形成され、その外周には段部６ｄが形成され、さらに、前記蒸気吹出口６ｃを囲むように外方に向かって円筒部６ｅが形成されている。なお、７は前記混合ケースの外周部と前記段部６ｄとの間に介在され、混合ケース３内に導入された蒸気が外カバー６内に漏れるのを防止するための発泡シリコンゴム等のパッキンである。
【００１８】
８は前記外カバー６の段部６ｄの裏面側の開口部に載置される鍔部８ａと、該鍔部８ａ側の開口径が大きく形成され、かつ、開口端に向かってテーパ状に形成された円錐台状の筒部８ｂとからなる真鍮等の金属で形成したノズルパイプにして、前記筒部８ｂが前記混合管３に形成された蒸気吹出口３ｃ側から内部に臨むように嵌合固定されている。さらに、前記筒部８ｂは開口端８ｃに向かって肉厚が薄くなるように形成されている。
【００１９】
そして、図４の（ｂ）に示す従来のノズルパイプの場合のように開口端８ｃの切り口に水滴が付着するのに対して、本発明は図４の（ａ）に示すようにノズルパイプ８の筒部８ｂをテーパ状に形成すると共に開口端８ｃに向かって肉厚が薄くなるように形成したことで水滴の付着を防止でき、従って、ノズルパイプ８の筒部８ｂの内部を伝って外部に水滴が滴り落ちることがなくなる。
【００２０】
９は前記外カバー６の段部６ｄの表面側に配置されたフェルト等の吸水部材で形成されたリング状の吸水体、１０は外カバー６の円筒部６ｅ内に着脱自在に固定されたキャップであり、該キャップ１０を円筒部６ｅに嵌め込むことで、前記吸水体９を外カバー６の段部６ｃに固定することが可能となる。
【００２１】
次に、前記した構成に基づいて作用を説明するに、蒸気管１内に蒸気発生装置より蒸気が供給されると蒸気排出口１ａより混合管３内に供給され、また、外パイプ２内に蒸気発生装置より加圧された空気が同じく混合管３内に供給される。従って、蒸気管１内に供給される蒸気は、外パイプ２から供給される加圧空気によって混合管３内に送り込まれ、混合管３内において蒸気と空気とが混合され、かつ、加圧蒸気となる。そして、混合管３内の加圧蒸気は、ノズルパイプ８を通過して外カバー６の蒸気吹出口６ｃを介してキャップ１０を通過して被施術者の顔等に噴霧される。
【００２２】
ところで、高熱の蒸気が通過する蒸気管１は相当温度に達するが、該蒸気管１は外パイプ２によって空隙を介して覆われているので、蒸気管１よりの熱によって外パイプ２は高温になることがなく、また、前記蒸気が流れ込む混合管３も空隙を介して外カバー６によって覆われているので、該外カバー６も高温になることがなく、従って、施術者が手に持っても熱くなく、しかも、薬品および成形時のバラツキによってひび割れを防止することができる。
【００２３】
また、混合管３は外カバー６によって覆われていることから、該混合管３内外の温度差が小さく、かつ、蒸気が流れ込むと短時間で高温となるので時間の経過と共に混合管３の内面における水滴の付着は少なく、さらに、ノズルパイプ８は混合管３内に臨んでいること、材質が混合管３と同じ金属であること、および、筒部の開口端に向かってテーパ状に形成され、かつ、開口端８ｃに向かって肉厚が薄くなるように形成されているので、ノズルパイプ８の開口端８ｃに結露による水滴が溜まることがなく、ノズルパイプ８の筒部８ｂの内部を伝って外部に水滴が滴り落ちることがない。
【００２４】
そして、ノズルパイプ８から水滴が排出されたとしても、外カバー３の蒸気吹出口６ｃに吸水体９がキャップ１０によって取付けられているので、前記水滴は吸水体９によって吸水され外部に滴り落ちることはない。
【実施例２】
【００２５】
次に、図５、図６と共に第２の実施例について説明するに、この実施例においては、前記した第１の実施例におけるノズルパイプ８を外カバー６とは別部材の金属で構成したのに対し、外カバー６の前面板を成形する時にノズルパイプ８と同じ形状のノズルパイプ６ｆを同時に成形して一体化した点で相違するものである。その他の構成は前記第１の実施例と同様なので、同じ符号は同じ部材を示している。
【００２６】
この実施例において、ノズルパイプ６ｆは混合管３内に臨んでいること、ノズルパイプ６ｆをテーパ状に形成すると共に開口端に向かって肉厚が薄くなるように形成されているので、ノズルパイプ６ｆの開口端に結露による水滴が溜まることがなく、ノズルパイプ６ｆの内部を伝って外部に水滴が滴り落ちることがない。なお、その他の作用効果についても第１の実施例と同じ作用効果が得られるものである。
【産業上の利用可能性】
【００２７】
本実施例は美顔用のエステ機器に応用した場合について説明したが、頭髪や髭を蒸気で加熱して施術を行う蒸気加熱装置にも応用できることは勿論のことである。
【図面の簡単な説明】
【００２８】
【図１】本発明に係る蒸気発生装置の蒸気吹出口構造の先端部分の正面図である。
【図２】同上のＡ−Ａ線断面図である。
【図３】同上の要部の拡大断面図である。
【図４】本発明に使用するノズルパイプの先端に水滴が付着し難い状態を従来のノズルパイプと対比した説明図である。
【図５】第２実施例の断面図である。
【図６】同上の要部の拡大断面図である。
【符号の説明】
【００２９】
１          蒸気管
２          外パイプ
３          混合管
６          外カバー
６ｃ        蒸気吹出口
８，６ｆ    ノズルパイプ
８ｃ        開口端
９          吸水体
１０        キャップ
【図１】
2005192811.tif 000003
【図２】
2005192811.tif 000004
【図３】
2005192811.tif 000005
【図４】
2005192811.tif 000006
【図５】
2005192811.tif 000007
【図６】
2005192811.tif 000008